(57)【特許請求の範囲】
【請求項１】
支持部材にタッチパネル部を接合し、前記支持部材とタッチパネル部とをフレームに固定するタッチパネルであって、タッチパネル部は外周部分にフレームへの固定部を有し、この固定部の内側において周状かつ間欠的に複数の空隙部を形成し、各空隙部の間に固定部とタッチパネル中央本体との連結部を形成したことを特徴とするタッチパネル。
【請求項２】
請求項１記載のタッチパネルにおいて、タッチパネルに貼着してある離型紙を、前記固定部部分においては剥がさず貼着したまま、タッチパネル部を支持部材に接合することを特徴とするタッチパネル。
【発明の詳細な説明】
【０００１】
【発明の属する技術分野】
本発明は、タッチパネルに関する。
【０００２】
【従来の技術】
従来、図４に示すように、タッチパネルＴは、フレーム１の内方側にタッチパネル部２を取り付けている。そして正面から例えば手指等でタッチパネル部２に触れることにより、信号の入力や機器の起動指令等を行うものである。そして図４（ｂ）に示すように、タッチパネルＴはフレーム１と、フレーム１に溶接されたスタッド４とタッチパネル部２を支持する支持部材３と、支持部材３に接着されたタッチパネル部２と、支持部材３とフレーム１を固定するナット５とから構成されている。
【０００３】
しかしながら、上記の取付構造では、タッチパネル部２は上下のフレーム１にナット５により固定されているために、タッチパネル部２が吸湿して膨張するとタッチパネル部２が図４（ｂ）の破線で示すように前方に膨らみ、外観上問題があるとともに、正確にタッチできないとことがあり入力上の支障もあった。
【０００４】
上記の問題を解決する方法として図５に示す取付方法が提案されている。この取付方法は図５（ｂ）に示すように、タッチパネル部２とフレーム１が接触しないようにスペーサ１０を介在させている。そしてその詳細構造として図５（ｃ）に示すように、フレーム１と、フレーム１に溶接されたスタッド４と、タッチパネル部２を支持する支持部材３と、支持部材３に接着されたタッチパネル部２と、タッチパネル部２をフレーム１に接触させないためのスペーサ１０と、支持部材３とフレーム１を固定するナット５とを有する。
【０００５】
尚、図５におけるタッチパネル部２は、図５（ｃ）に詳細に示すように、化粧パネル６と上電極部７と下電極部８とを有し、これらの部材をそれぞれ接続する粘性のある接着剤９，…９とからなる。このタッチパネルＴの取付構造によると、タッチパネル部２はフレーム１によって固定されていないので吸湿によって膨張しても、その変位量は下部にある粘性の接着剤９が同方向に変位するために吸収され、前方にタッチパネルが膨張することはない。
【０００６】
【発明が解決しようとする課題】
しかし上記従来のタッチパネルＴでは、図５に示すように、タッチパネル部２とフレーム１とを接触させないためのスペーサ１０が必要であり、かつ組立時にはそのスペーサ１０をスタッド４に挿入する作業が必要で組立作業が煩雑化するという問題があった。
【０００７】
本発明は上記の問題点を解決するためになされたものであり、その目的とするところは、タッチパネルの膨張を吸収可能でかつ組立性のよいタッチパネルを提供することにある。
【０００８】
【課題を解決するための手段】
前記の課題を解決するために、請求項１記載の発明では、支持部材にタッチパネル部を接合し、前記支持部材とタッチパネル部とをフレームに固定するタッチパネルであって、タッチパネル部は外周部分にフレームへの固定部を有し、この固定部の内側において周状かつ間欠的に複数の空隙部を形成し、各空隙部の間に固定部とタッチパネル中央本体との連結部を形成する。
【０００９】
請求項２記載の発明では、タッチパネルに貼着してある離型紙を、前記固定部部分においては剥がさず貼着したまま、タッチパネル部を支持部材に接合する。
【００１０】
【発明の実施の形態】
本発明の第１の実施形態を図１及び図２に基づいて詳細に説明する。図１はタッチパネルを示す図であり、（ａ）は正面図、（ｂ）は図２におけるｂ−ｂ’断面による側面図、図２はタッチパネル部と支持部材を示す図であり、（ａ）は斜視図、（ｂ）はａ−ａ’断面の側面図、（ｃ）はｂ−ｂ’断面の側面図である。
【００１１】
タッチパネル部２は、外縁に周状に形成する固定部１１と、タッチパネル中央本体２ａと固定部１１を連結する連結部１２と、タッチパネル中央本体２ａとからなる。前記固定部１１はタッチパネル部２を支持部材３に張りつける際に位置合わせを容易ならしめるために形成しているものである。また図２（ａ）（ｃ）に示すようにタッチパネル中央本体２ａと固定部１１との間には複数の空隙１３が形成されている。そして、タッチパネル中央本体２ａは図２（ａ）の斜線部１４に塗布されている接着剤により支持部材３に接着されている。尚、固定部１１部分に形成した複数の孔ｈは、スタッド４を挿通してナット５でフレーム１に固定するための孔である。図１（ｂ）から明らかなように、タッチパネル部２は、タッチパネル部２の固定部１１によってフレーム１に対して支持部材３とともにナット５により接合されているので、タッチパネル部２には後述するように応力が懸からない。
【００１２】
次に、この構成の作用について述べる。まず最初に図２（ｃ）のような、空隙１３のある部分（ｂ−ｂ’断面部分）の説明を行う。タッチパネル部２が吸湿によって膨張しても空隙１３によりその変位は固定部１１に伝わらず、その膨張は空隙１３に吸収される。
【００１３】
次に、図２（ｂ）のような、連結部１２のある部分（ａ−ａ’断面部分）の説明を行う。タッチパネル中央本体２ａは連結部１２を介して固定部１１に繋がっているので前方に膨らむことが考えられるが、連結部１２が細く形成してあるため、タッチパネル中央本体２ａの変位は連結部１２で吸収され、前方への膨らみは発生しない。
【００１４】
次に、第２の実施形態について説明する。図３はタッチパネルを示す図であり、（ａ）はタッチパネル部と支持部材を示す斜視図、（ｂ）はタッチパネル部と支持部材とフレームとを示す断面図、（ｃ）は膨張の吸収作用を示す断面図である。タッチパネル部２は、外縁に周状に形成する固定部１１と、タッチパネル中央本体２ａと固定部１１を連結する連結部１２と、タッチパネル本体２ａと、空隙１３、及び斜線で示す離型紙１５からなる。この固定部１１はタッチパネル部２を支持部材３に張りつける際に位置合わせを容易ならしめるため形成しているものである。離型紙１５は下電極８（図５ｃ参照）の裏面に印刷されている接着剤９を埃等から保護するために、通常下電極８の裏面に貼られているものである。そして、タッチパネル部２を支持部材３に張りつける際には、離型紙１５をタッチパネル部２から剥がし、接着面を表面に出して接着を行う。この実施の形態では、この離型紙１５を部分的に残してタッチパネル部２を支持部材３に接着するものである。タッチパネル部２の支持部材３への接合部１７は第１の実施形態と同じ部分である。
【００１５】
図３（ｂ）に、このタッチパネル部２をフレーム１に取り付けた際の状態（Ｂ部の拡大図）を示すが、タッチパネル部２に形成した連結部１２の下部に離型紙１５の厚み分の空隙１６を形成する。タッチパネル部２が吸湿し膨張した際には、図３（ｃ）に示すように連結部１２が下方向に窪むことにより、タッチパネル部２の変位を吸収するものである。空隙１３のある部分のタッチパネル部の膨らみの防止作用は第１の実施形態と同様であるので説明を省略する。
【００１６】
【発明の効果】
請求項１記載の発明によれば、タッチパネル部に形成した空隙によりタッチパネル部の膨張を吸収するようにしたので、従来必要であったタッチパネルとフレームとを接触させないためのスペーサを不要とし、その組立の手間も省くことができるという効果を奏する。
【００１７】
請求項２記載の発明によれば、請求項１記載の発明の効果に加えて、離型紙を部分的に残すことにより、タッチパネルの前方への膨らみを更に緩和することができ、また離型紙は本来タッチパネルに付随していたものであるから、使用部材の数を抑えることができるという効果を奏する。
【図面の簡単な説明】
【図１】本発明の実施の形態のタッチパネルを示す図であり、（ａ）は正面図、（ｂ）は図２におけるｂ−ｂ’断面による側面図である。
【図２】同上のタッチパネル部と支持部材を示す図であり、（ａ）は斜視図、（ｂ）はａ−ａ’断面の側面図、（ｃ）はｂ−ｂ’断面の側面図である。
【図３】本発明の第２の実施形態のタッチパネルを示す図であり、（ａ）はタッチパネル部と支持部材を示す斜視図、（ｂ）はタッチパネル部と支持部材とフレームとを示すＢ部を拡大した断面図、（ｃ）は膨張の吸収作用を示すＢ部を拡大した断面図である。
【図４】従来例のタッチパネルを示す図であり、（ａ）は正面図、（ｂ）は側面図である。
【図５】従来例のタッチパネルを示す図であり、（ａ）は正面図、（ｂ）は側面図、（ｃ）はＡ部の拡大図である。
【符号の説明】
１      フレーム
２      タッチパネル部
３      支持部材
４      スタッド
５      ナット
６      化粧パネル
７      上電極
８      下電極
９      接着剤
１０    スペーサ
１１    固定部
１２    連結部
１３    空隙部
１４    接着部
１５    離型紙
１６    空隙部
１７    接合部
【図１】
0003591261.tif 000002
【図２】
0003591261.tif 000003
【図３】
0003591261.tif 000004
【図４】
0003591261.tif 000005
【図５】
0003591261.tif 000006